(57)【要約】【課題】化粧カバー体の取付作業を容易にできるカバー装置および化粧カバー体の取付方法を提供する。【解決手段】カバー装置１６は、支持部３７を有するカバー取付体２５を備える。カバー装置１６は、建物付設物の廊下部の桁材６を覆う化粧カバー体２１を備える。化粧カバー体２１は、カバー取付体２５の支持部３７に下方から支持させて仮止めし、その後、ドリルねじ５５でカバー取付体２５の支持部３７に固定する。【選択図】        図５
2004263463.tif 000002
【特許請求の範囲】
【請求項１】
支持部を有するカバー取付体と、
前記支持部にて下方から支持され、建物および建物付設物の少なくとも一方の構成部材を覆う化粧カバー体と、
前記支持部に対して前記化粧カバー体を固定する固定体と
を備えることを特徴とするカバー装置。
【請求項２】
カバー取付体は、化粧カバー体との係合により前記化粧カバー体が前記カバー取付体から離反するのを規制する離反規制部を有する
ことを特徴とする請求項１記載のカバー装置。
【請求項３】
化粧カバー体は、水切部を有する
ことを特徴とする請求項１または２記載のカバー装置。
【請求項４】
化粧カバー体は、カバー取付体の下面を覆う下面覆い部を有する
ことを特徴とする請求項１ないし３のいずれか一記載のカバー装置。
【請求項５】
建物および建物付設物の少なくとも一方の構成部材を覆う化粧カバー体をカバー取付体を介して取り付ける取付方法であって、
前記化粧カバー体を前記カバー取付体の支持部に下方から支持させて仮止めする工程と、
この仮止めされた化粧カバー体をこの化粧カバー体の上方から前記支持部に対して固定体で固定する工程と
を備えることを特徴とする化粧カバー体の取付方法。
【発明の詳細な説明】
【０００１】
【発明の属する技術分野】
本発明は、化粧カバー体の取付作業を容易にできるカバー装置および化粧カバー体の取付方法に関する。
【０００２】
【従来の技術】
従来、例えば建物付設物（例えば屋外鉄骨階段廊下ユニット）の一部を構成する構成部材（例えば桁材）をアルミ化粧カバー等の化粧カバー体で覆う場合は、例えば建物付設物の構成部材に対して化粧カバー体をこの化粧カバー体の前方からねじで直接固着している（例えば、非特許文献１参照。）。
【０００３】
【非特許文献１】
「住宅建材製品カタログ１９９９−２０００」、文化シャッタ株式会社、１９９９年１０月、ｐ．１９１
【０００４】
【発明が解決しようとする課題】
しかしながら、上記従来の場合、化粧カバー体の前方にスペースがないときには、化粧カバー体の取付作業が煩雑となるおそれがある。
【０００５】
本発明は、このような点に鑑みなされたもので、化粧カバー体の前方にスペースがなくても、化粧カバー体の取付作業を容易にできるカバー装置および化粧カバー体の取付方法を提供することを目的とする。
【０００６】
【課題を解決するための手段】
請求項１記載のカバー装置は、支持部を有するカバー取付体と、前記支持部にて下方から支持され、建物および建物付設物の少なくとも一方の構成部材を覆う化粧カバー体と、前記支持部に対して前記化粧カバー体を固定する固定体とを備えるものである。
【０００７】
そして、化粧カバー体の前方にスペースがなくても、化粧カバー体の取付作業が容易である。
【０００８】
請求項２記載のカバー装置は、請求項１記載のカバー装置において、カバー取付体は、化粧カバー体との係合により前記化粧カバー体が前記カバー取付体から離反するのを規制する離反規制部を有するものである。
【０００９】
そして、カバー取付体の離反規制部にて化粧カバー体の離反を規制できるため、化粧カバー体の取付作業がより一層容易である。
【００１０】
請求項３記載のカバー装置は、請求項１または２記載のカバー装置において、化粧カバー体は、水切部を有するものである。
【００１１】
そして、化粧カバー体の水切部によって雨水等が水滴となって落下するので、雨水による汚れ等が防止される。
【００１２】
請求項４記載のカバー装置は、請求項１ないし３のいずれか一記載のカバー装置において、化粧カバー体は、カバー取付体の下面を覆う下面覆い部を有するものである。
【００１３】
そして、化粧カバー体の下面覆い部にてカバー取付体の下面を覆うことで、外観性の向上が図られる。
【００１４】
請求項５記載の化粧カバー体の取付方法は、建物および建物付設物の少なくとも一方の構成部材を覆う化粧カバー体をカバー取付体を介して取り付ける取付方法であって、前記化粧カバー体を前記カバー取付体の支持部に下方から支持させて仮止めする工程と、この仮止めされた化粧カバー体をこの化粧カバー体の上方から前記支持部に対して固定体で固定する工程とを備えるものである。
【００１５】
そして、化粧カバー体の前方にスペースがなくても、化粧カバー体の取付作業が容易である。
【００１６】
【発明の実施の形態】
以下、本発明の一実施の形態を図面を参照して説明する。
【００１７】
図１および図２において、１は建物付設物で、この建物付設物１は、例えば建物である集合住宅２の外部に設置された屋外鉄骨階段廊下ユニットで、階段部３、踊場部４および廊下部５を備えている。
【００１８】
そして、廊下部５は、図３等に示されるように、互いに離間対向した左右方向に長手状で断面略コ字状の桁材（建物付設物の構成部材）６および打付材（図示せず）を有している。これら桁材６および打付材には根太材７が長手方向に間隔をおいて架設され、この根太材７上には床材８が載置されている。これら桁材６および打付材の端部同士は、梁材９にて連結されている。なお、桁材６は、例えば複数の桁形成材６ａにて形成されている（図３参照）。
【００１９】
また、廊下部５は、１階の基礎部１１から上方に立ち上がった複数の柱材である手摺中間柱１２を有しているとともに、２階の桁材６から上方に立ち上がった複数の柱材である手摺間柱１３を有している。これら手摺中間柱１２および手摺間柱１３の各上端部にわたって手摺１４が配設されている。
【００２０】
そして、建物付設物１の廊下部５の桁材６にはカバー装置１６が設けられ、このカバー装置１６にて桁材６が覆われている。
【００２１】
このカバー装置１６は、図３から明らかなように、建物付設物１の桁材６の前面を覆う複数の化粧カバー体（桁カバー）２１と、隣り合う化粧カバー体２１間に配設されたジョイントカバー体２２と、出隅位置に配設された出隅用ジョイントカバー体２３とを備えている。これら化粧カバー体２１、ジョイントカバー体２２および出隅用ジョイントカバー体２３は、同一構造の複数のカバー取付体２５を介して廊下部５の桁材６に取り付けられている。
【００２２】
ここで、カバー取付体２５は、図４および図５に示すように、廊下部５の桁材６にこの桁材６の前面に沿って取付具（ボルトおよびナット等）３０により取り付けられた上下方向に細長い矩形状で垂直状の取付板部３１を有している。
【００２３】
取付板部３１の上端および下端からは上板部３２および下板部３３がそれぞれ前方に向って突出し、取付板部３１の上下方向中間からは補強用の中間板部３４が前斜め上方に向って突出している。これら上板部３２、中間板部３３および下板部３４の各前端同士は、上下方向に細長い矩形状で垂直状の前板部３５にて一体に連結されている。
【００２４】
前板部３５の上端側は上板部３２より上方に延在しており、この前板部３５の上端には、化粧カバー体２１を下方から支持する支持部３７が一体に設けられている。
【００２５】
この支持部３７は、係合段部分３８と、この係合段部分３８から前方に向って突出した水平状の支持板部分３９とにて構成されている。なお、係合段部分３８は、水平片４１と垂直片４２とを有する断面略Ｌ字状をなすものである。
【００２６】
また、前板部３５の下端には、化粧カバー体２１との係合によりこの化粧カバー体２１がカバー取付体２５から離反するのを規制する離反規制部４４が一体に設けられている。
【００２７】
この離反規制部４４は、前板部３５の下端から前方に向って突出した水平板部分４５と、この水平板部分４５の前端から上方に向って突出した垂直板部分４６とにて構成されている。
【００２８】
化粧カバー体２１は、桁材６と離間対向してこの桁材６の前面を覆う左右方向に細長い略矩形状で垂直状の本体板部５１を有している。
【００２９】
本体板部５１の上端には、カバー取付体２５の支持部３７に上方から係合してこの支持部３７によって下方から支持された第１係合部５２が本体板部５１の略全長にわたって一体に設けられている。
【００３０】
この第１係合部５２は、本体板部５１の上端から後方に向って突出し支持板部分３９と面接触してこの支持板部分３９によって下方から支持された水平状の被支持板部分５３と、この被支持板部分５３の後端から下方に向って突出し係合段部分３８と係合した垂直状の係合突板部分５４とにて構成されている。
【００３１】
そして、カバー取付体２５の支持部３７の水平状の支持板部分３９に対して化粧カバー体２１の第１係合部５２の水平状の被支持板部分５３が上方から螺合した固定体であるドリルねじ５５にて固定されている。
【００３２】
また、本体板部５１の下端近傍には、カバー取付体２５の離反規制部４４に上方から係合してこの離反規制部４４によってカバー取付体２５から離反しないように保持された第２係合部５７が本体板部５１の略全長にわたって一体に設けられている。
【００３３】
この第２係合部５７は、本体板部５１の下端近傍から後方に向って突出した水平板部分５８と、この水平板部分５８の後端から下方に向って突出した垂直板部分５９とにて構成されている。この垂直板部分５９の下端側は、この垂直板部分５９と本体板部５１との間の下方開口状の空間６０に離反規制部４４の垂直板部分４６が入りやすいように、下端ほど本体板部５１から大きく離反する湾曲板状に形成されている。
【００３４】
さらに、本体板部５１の下端には、カバー取付体２５の下面を覆う下面覆い部６１が本体板部５１の略全長にわたって一体に設けられている。この下面覆う部６１は、本体板部５１の下端から後方に向って突出し下板部３３と離間対向してこの下板部３３の下面を覆う水平状の突出板部分６２にて構成されている。この突出板部分６２の先端は、取付板部３１の下方近傍に位置する。
【００３５】
また、本体板部５１の下端からは、本体板部５１の略全長にわたって位置する垂直板状の水切部６３が下方に向って突出しており、この水切部６３の下端部が後方に向って折り曲がっている。
【００３６】
なお、本体板部５１の後面からは、本体板部５１の略全長にわたって位置する水平板状の複数、例えば３つの突出部６５が後方に向って突出しており、この突出部６５の後端が前板部３５の前面に当接している。上側の２つの突出部６５は互いに接近した状態で本体板部５１の上下方向略中央位置に配設され、本体板部５１の前面にはこれら２つの突出部６５間の中央位置に対応した位置にねじ位置決め用のＶ溝等の溝部（図示せず）が形成されている。
【００３７】
また、下側の１つの突出部６５は第２係合部５７に接近した状態に配設され、本体板部５１の前面にはこれら２つの突出部６５および第２係合部５７間の中央位置に対応した位置にねじ位置決め用のＶ溝等の溝部（図示せず）が形成されている。
【００３８】
一方、ジョイントカバー体２２は、化粧カバー体２１の左右方向の長さ寸法を短くしかつ手摺中間柱１２と干渉しないように下面覆い部６１を除去した構造のものである。また、出隅用ジョイントカバー体２３は、２つのジョイントカバー体２２を直交状に連結した構造のものである。
【００３９】
そして、ジョイントカバー体２２は、化粧カバー体２１と同様に、手摺中間柱１２の左右両側近傍位置で桁材６に取り付けられたカバー取付体２５の支持部３７にドリルねじ５５にて固定されている（図６参照）。
【００４０】
また、出隅用ジョイントカバー体２３は、出隅位置の手摺中間柱１２の近傍位置で桁材６および梁材９にそれぞれ取り付けられたカバー取付体２５の支持部３７にドリルねじ５５にて固定されている。
【００４１】
次に、カバー装置１６の化粧カバー体２１をカバー取付体２５を介して建物付設物１の廊下部５の桁材６に取り付ける場合について説明する。
【００４２】
まず、カバー取付体２５を廊下部５の桁材６に取付具３０により取り付ける。
【００４３】
その後、図４に示すように、化粧カバー体２１を１階側からカバー取付体２５より高い位置まで持ち上げてから少し下げることにより、化粧カバー体２１をカバー取付体２５に引掛け仮止めする。
【００４４】
すなわち、カバー取付体２５の支持部３７の支持板部分３９に化粧カバー体２１の第１係合部５２の被支持板部分５３を下方から支持させるとともに、カバー取付体２５の支持部３７の係合段部分３８と化粧カバー体２１の係合部である第１係合部５２の係合突板部分５４とを互いに係合させ、かつ、カバー取付体２５の離反規制部４４と化粧カバー体２１の係合部である第２係合部５７とを空間６０への垂直板部分４６の嵌入により互いに係合させて、化粧カバー体２１をカバー取付体２５から離反しない状態に引掛け仮止めする。なお、この仮止め状態では、化粧カバー体２１はカバー取付体２５に対して左右方向にスライド可能である。
【００４５】
そして、化粧カバー体２１を適宜スライドさせてジョイントカバー体２２および出隅用ジョイントカバー体２３との位置調節を行ってから、図５に示すように、化粧カバー体２１の第１係合部５２の被支持板部分５３をカバー取付体２５の支持部３７の支持板部分３９に対して化粧カバー体２１の上方からドリルねじ５５をねじ込んで固定する。
【００４６】
なお、ジョイントカバー体２２および出隅用ジョイントカバー体２３についても化粧カバー体２１の同様の方法で取り付けることができる。また、化粧カバー体２１の前方にスペースがある場合には、必要に応じてねじ位置決め用の溝部を利用してねじで化粧カバー体２１を桁材６に固定する。
【００４７】
そして、このようなカバー装置１６によれば、化粧カバー体２１の上方のスペースを利用してカバー取付体２５の上端側に形成された支持部３７に対して化粧カバー体２１をこの化粧カバー体２１の上方からドリルねじ５５で固定できるため、化粧カバー体２１の前方近傍位置に階段部３が位置して化粧カバー体２１の前方に作業用のスペースがなくても、化粧カバー体２１の取付作業を容易にでき、作業者一人での施工が可能となる。
【００４８】
また、カバー取付体２５の離反規制部４４および支持部３７の係合段部分３８にて化粧カバー体２１のカバー取付体２５に対する離反を規制できるため、化粧カバー体２１の仮止めが不用意に解除されることがなく、化粧カバー体２１の取付作業がより一層容易になり、施工性の向上を図ることができる。
【００４９】
また、化粧カバー体２１の水切部６３によって雨水等が水滴となって落下するので、建物付設物１や集合住宅２自体（建物自体）が雨水等にて汚れるようなことを適切に防止できる。
【００５０】
さらに、化粧カバー体２１の下面覆い部６１にてカバー取付体２５の下面を覆うことで、建物付設物１の廊下部５の外観性の向上を図ることができる。
【００５１】
なお、上記一実施の形態のカバー装置１６は、建物付設物１の階段部３および踊場部４にも適用できるばかりでなく、建物付設物であるバルコニ等にも適用でき、化粧カバー体２１で建物付設物の構成部材としてのささら桁、桁材、梁材等を覆うようにしてもよい。
【００５２】
また、カバー装置１６の化粧カバー体２１は、建物および建物付設物の少なくとも一方の構成部材を覆うものであればよく、例えば化粧カバー体２１で建物自体の躯体の構成部材である桁材、梁材等を覆うようにしてもよい。
【００５３】
さらに、ジョイントカバー体２２および出隅用ジョイントカバー体２３を用いることなく、建物付設物の構成部材を化粧カバー体２１のみで覆うようにしてもよい。
【００５４】
さらに、カバー取付体２５の支持部３７は、水平状の支持面である支持板部分３９を有するものには限定されず、例えば仮止めの容易化のために、傾斜状の支持面、例えば建物付設物の構成部材側に向って下り傾斜状の支持面を有するようなもの等でもよい。また、化粧カバー体２１の第１係合部５２の上面を水勾配の傾斜状に形成してもよい。
【００５５】
また、カバー取付体２５の支持部３７に対して化粧カバー体２１を固定する固定体は、ドリルねじ５５以外の螺合部材でもよく、或いは、リベット、ピン、両面粘着テープ等でもよい。
【００５６】
【発明の効果】
請求項１の発明によれば、カバー取付体の支持部に対して化粧カバー体をこの化粧カバー体の上方から固定体で固定できるため、化粧カバー体の前方にスペースがなくても、化粧カバー体の取付作業を容易にできる。
【００５７】
請求項２の発明によれば、カバー取付体の離反規制部にて化粧カバー体の離反を規制できるため、化粧カバー体の取付作業をより一層容易にできる。
【００５８】
請求項３の発明によれば、化粧カバー体の水切部によって雨水等が水滴となって落下するので、雨水による汚れ等を防止できる。
【００５９】
請求項４の発明によれば、化粧カバー体の下面覆い部にてカバー取付体の下面を覆うことで、外観性の向上を図ることができる。
【００６０】
請求項５の発明によれば、カバー取付体の支持部に対して化粧カバー体をこの化粧カバー体の上方から固定体で固定できるため、化粧カバー体の前方にスペースがなくても、化粧カバー体の取付作業を容易にできる。
【図面の簡単な説明】
【図１】本発明の一実施の形態のカバー装置が使用された建物付設物を示す正面図である。
【図２】同上建物付設物を示す平面図である。
【図３】同上カバー装置の斜視図である。
【図４】同上カバー装置の化粧カバー体の取付前の図である。
【図５】同上カバー装置の化粧カバー体の取付後の図である。
【図６】同上カバー装置の化粧カバー体とジョイントカバー体との連結部分を示す平面図である。
【符号の説明】
１    建物付設物
６    建物付設物の構成部材である桁材
１６    カバー装置
２１    化粧カバー体
２５    カバー取付体
３７    支持部
４４    離反規制部
５５    固定体であるドリルねじ
６１    下面覆い部
６３    水切部
【図１】
2004263463.tif 000003
【図２】
2004263463.tif 000004
【図３】
2004263463.tif 000005
【図４】
2004263463.tif 000006
【図５】
2004263463.tif 000007
【図６】
2004263463.tif 000008